(57)【要約】      （修正有）【課題】ゴム栓の保持力が低下することを回避する。【解決手段】ゴム栓５０は、電線Ｗとインシュレーションバレル４４の間に挟持されることで保持され、インシュレーションバレル４４が電線Ｗに圧着される圧着部５１と、電線Ｗとハウジング２２の間をシールするシール部５２とを備えたゴム栓５０であって、圧着部５１の外周面には、インシュレーションバレル４４に押圧される範囲内に複数条の外周リップが設けられている構成とした。【選択図】図１
2016095915.tif 000002
【特許請求の範囲】
【請求項１】
電線とインシュレーションバレルの間に挟持されることで保持され、前記インシュレーションバレルが前記電線に圧着される圧着部と、
前記電線とハウジングの間をシールするシール部とを備えたゴム栓であって、
前記圧着部の外周面には、前記インシュレーションバレルに押圧される範囲内に複数条の外周リップが設けられているゴム栓。
【請求項２】
前記圧着部の外周面および内周面は、先端側に向かうほど前記電線側に近づくように傾斜している請求項１に記載のゴム栓。
【請求項３】
前記インシュレーションバレルは、前側バレル片と後側バレル片を有して構成されており、前記前側バレル片と前記後側バレル片の間に前記外周リップが位置している請求項１または請求項２に記載のゴム栓。
【請求項４】
前記圧着部の内周面には、前記電線に密着する複数条の内周リップが設けられている請求項１から請求項３のいずれか一項に記載のゴム栓。
【請求項５】
前記外周リップと前記内周リップが前後方向において互いにずれて配置されることにより、前記圧着部の厚さはほぼ均一となるように構成されている請求項４に記載のゴム栓。
【発明の詳細な説明】
【技術分野】
【０００１】
本明細書によって開示される技術は、ゴム栓に関する。
【背景技術】
【０００２】
従来の防水コネクタ用ゴム栓として、例えば、特開平７−２８２８９３号公報（下記特許文献１）に記載のものが知られている。このゴム栓は、端子金具からの抜け止めを確実にできるようにしたものであって、インシュレーションバレルの抱着片によって圧着されるスリーブ部を備えている。スリーブ部において抱着片の側縁に対応した部位には側縁溝が設けられており、側縁がスリーブ部を強圧しないために、強く圧着しても側縁によりスリーブ部が切れることがなく、強く抱着できるようになっている。
【先行技術文献】
【特許文献】
【０００３】
【特許文献１】特開平７−２８２８９３号公報
【発明の概要】
【発明が解決しようとする課題】
【０００４】
しかしながら、上記の構成では、抱着片の側縁が側縁溝に位置するようにゴム栓をインシュレーションバレルに対して精度良く位置決めする必要がある。このため、ゴム栓が位置ずれした場合には、抱着片の側縁が側縁溝の内壁に当接しないため、ゴム栓の保持力が低下してしまう。
【課題を解決するための手段】
【０００５】
本明細書によって開示されるゴム栓は、電線とインシュレーションバレルの間に挟持されることで保持され、前記インシュレーションバレルが前記電線に圧着される圧着部と、前記電線とハウジングの間をシールするシール部とを備えたゴム栓であって、前記圧着部の外周面には、前記インシュレーションバレルに押圧される範囲内に複数条の外周リップが設けられている構成とした。
【０００６】
このような構成によると、ゴム栓が位置ずれする等してインシュレーションバレルに押圧されない外周リップが発生した場合でも、この外周リップがインシュレーションバレルに引っ掛かるため、ゴム栓の保持力が低下することを回避できる。
【０００７】
本明細書によって開示されるゴム栓は、以下の構成としてもよい。
前記圧着部の外周面および内周面は、先端側に向かうほど前記電線側に近づくように傾斜している構成としてもよい。
このような構成によると、インシュレーションバレルが圧着部を介して電線に圧着された際に、ゴム栓の先端部が盛り上がることを防止できる。
【０００８】
前記インシュレーションバレルは、前側バレル片と後側バレル片を有して構成されており、前記前側バレル片と前記後側バレル片の間に前記外周リップが位置している構成としてもよい。
このような構成によると、前側バレル片と後側バレル片の間に位置した外周リップが前側バレル片の後縁と後側バレル片の前縁の双方に引っ掛かることでゴム栓の保持力を向上させることができる。
【０００９】
前記圧着部の内周面には、前記電線に密着する複数条の内周リップが設けられている構成としてもよい。
このような構成によると、電線が屈曲されることによりシール部の内周面におけるシール性能が低下した場合でも、圧着部の内周リップによってシール性能を維持することができる。
【００１０】
前記外周リップと前記内周リップが前後方向において互いにずれて配置されることにより、前記圧着部の厚さはほぼ均一となるように構成されているものとしてもよい。
このようにすると、インシュレーションバレルによって押圧される力が圧着部に対して均等にかかるため、圧着部の一部がインシュレーションバレルによって切れたりすることを防止できる。
【発明の効果】
【００１１】
本明細書によって開示されるゴム栓によれば、ゴム栓の保持力が低下することを回避できる。
【図面の簡単な説明】
【００１２】
【図１】電線が真っ直ぐ後方に引き出された状態におけるコネクタの断面図
【図２】電線が下方に引っ張られた状態におけるコネクタの断面図
【図３】ハウジングのキャビティに挿入される前における端子付き電線の断面図
【図４】ゴム栓の側面図
【図５】ゴム栓の正面図
【図６】ゴム栓の背面図
【図７】図５におけるＡ−Ａ線断面図
【発明を実施するための形態】
【００１３】
＜実施形態＞
実施形態を図１から図７の図面を参照しながら説明する。本実施形態におけるコネクタ１０は、図１に示すように、雌コネクタ２０と、この雌コネクタ２０に設けられたキャビティ２１に後方から挿入される端子付き電線３０とからなる。さらに、端子付き電線３０は、電線Ｗと、この電線Ｗの芯線Ｗ１に接続された端子４０と、この端子４０とともに電線Ｗに保持されたゴム栓５０とを備えて構成されている。
【００１４】
雌コネクタ２０は、合成樹脂製のハウジング２２を有し、このハウジング２２を前後方向に貫通する形態でキャビティ２１が設けられている。キャビティ２１の内壁には、端子４０を抜け止めするランス２３が設けられている。このランス２３の後方には、ランス２３とともに端子４０を二重で抜け止めするリテーナ２４が装着されている。
【００１５】
ここで、端子４０は、箱形状をなす箱部４１と、この箱部４１の後方に連なる首部４２と、この首部４２の後方に連なるワイヤバレル４３と、このワイヤバレル４３の後方に連なるインシュレーションバレル４４とを備えて構成されている。ワイヤバレル４３は、電線Ｗの端末において被覆Ｗ２を皮剥ぎすることで露出された芯線Ｗ１に圧着される。なお、被覆Ｗ２は、絶縁性の樹脂によって構成されている。
【００１６】
一方、インシュレーションバレル４４は、ゴム栓５０を介して電線Ｗの被覆Ｗ２に圧着される。また、インシュレーションバレル４４は、被覆Ｗ２を左右両側から抱え込む一対のバレル片を有し、これらのバレル片は、前側に配された前側バレル片４５と、後側に配された後側バレル片４６とからなり、前側バレル片４５と後側バレル片４６の間には、所定の隙間が確保されている。
【００１７】
キャビティ２１は、端子４０を収容する端子収容空間２５と、ゴム栓５０を収容するゴム栓収容空間２６とからなる。端子収容空間２５は角孔形状をなす一方、ゴム栓収容空間２６は円孔形状をなし、端子収容空間２５よりも断面積が大きめとされている。なお、ランス２３とリテーナ２４は、いずれも端子収容空間２５に配されており、箱部４１に対して後方から係止するものとされている。
【００１８】
さて、ゴム栓５０は、図３に示すように、電線Ｗの被覆Ｗ２に圧着される圧着部５１と、この圧着部５１の後方に連なるシール部５２と、このシール部５２の後方に連なる電線保護部５３とを備えて構成されている。ゴム栓５０は、図４から図７に示すように、全体として略円筒状をなしており、ゴム栓５０の内部には、電線Ｗが挿入される電線挿入孔５４が設けられている。圧着部５１とシール部５２と電線保護部５３は同軸に配されている。シール部５２の外周面と電線保護部５３の外周面とは圧着部５１の外周面よりも大径とされている。
【００１９】
電線保護部５３の外周面は後方に向かうほど電線挿入孔５４に近づく形態とされているのに対して、電線保護部５３の内周面（電線挿入孔５４の内周面）は、同一径寸法のまま後方に延びる形態とされている。また、電線保護部５３の後端は、図１に示すように、端子４０がキャビティ２１に収容された状態ではハウジング２２の後端よりも後方に突出している。これにより、電線Ｗが無理に曲げられたとしても、電線Ｗがキャビティ２１の後端開口縁部に当接して損傷することが防止され、電線Ｗが電線保護部５３によって保護される。
【００２０】
シール部５２は、ゴム栓収容空間２６の内周面に密着する複数条の外周リップ５２Ａと、電線Ｗの被覆Ｗ２に密着する複数条の内周リップ５２Ｂとを有している。各外周リップ５２Ａと各内周リップ５２Ｂは、前後方向（軸方向）において同じ位置に配されている。すなわち、外周リップ５２Ａの径方向内側に内周リップ５２Ｂが位置するようになっている。したがって、外周リップ５２Ａがゴム栓収容空間２６の内周面から受ける反力と、内周リップ５２Ｂが電線Ｗの被覆Ｗ２から受ける反力とによってシール部５２が各リップ５２Ａ、５２Ｂの位置で強く挟持されることになり、高いシール性能を発揮することができる。
【００２１】
圧着部５１は、電線Ｗとインシュレーションバレル４４の間に挟持されることで電線Ｗの被覆Ｗ２に保持される部分である。この圧着部５１は、インシュレーションバレル４４が圧着される複数条の外周リップ５１Ａと、電線Ｗの被覆Ｗ２に圧着される複数条の内周リップ５１Ｂとを有して構成されている。各外周リップ５１Ａと各内周リップ５１Ｂは、前後方向（軸方向）において互いにずれて配置されている。このため、圧着部５１のうち各リップ５１Ａ、５１Ｂが配された部分は、前後方向において厚さがほぼ均一となるように構成されている。このため、インシュレーションバレル４４によって押圧される力が圧着部５１に対して均等にかかる。したがって、圧着部５１の一部がインシュレーションバレル４４によって局所的に押圧されて切れたりすることを防止できる。
【００２２】
さらに、圧着部５１の外周面および内周面は、前端側（先端側）に向かうほど電線Ｗ側に近づくように傾斜している。このため、インシュレーションバレル４４によって圧着部５１が圧着されることで圧着部５１の前端部が盛り上がることを防止できる。したがって、ゴム栓５０をゴム栓収容空間２６に挿入する際に、圧着部５１の前端部がゴム栓収容空間２６の内周面に当たってゴム栓５０の挿入性が低下することを防止できる。
【００２３】
圧着部５１の内周リップ５１Ｂは、インシュレーションバレル４４に押圧される範囲内で電線Ｗの被覆Ｗ２の外周面に密着しているため、電線Ｗの被覆Ｗ２と圧着部５１との間を強固に止水することができる。例えば、図２に示すように、電線Ｗが下方に引っ張られた際に、シール部５２の内周リップ５２Ｂが電線Ｗの被覆Ｗ２の外周面から離間することで、シール部５２におけるシール性能が低下する場合がある。しかし、その場合でも圧着部５１の内周リップ５１Ｂが依然として電線Ｗの被覆Ｗ２の外周面に密着しているため、圧着部５１におけるシール性能を維持することができ、ゴム栓５０全体としてのシール性能が確保される。
【００２４】
また、図７に示すように、圧着部５１の各リップ５１Ａ、５１Ｂは、シール部５２の各リップ５２Ａ、５２Ｂよりも小さめに形成され、かつ、シール部５２の各リップ５２Ａ、５２Ｂよりも多めに形成されている。このため、図３に示すように、前側バレル片４５の内側と後側バレル片４６の内側には、それぞれ複数条の外周リップ５１Ａが配されることになる。言い換えると、圧着部５１の外周面には、インシュレーションバレル４４に押圧される範囲内に複数条の外周リップ５１Ａが設けられている。
【００２５】
本実施形態では、前側バレル片４５の内側に２条の外周リップ５１Ａが配され、後側バレル片４６の内側に２条の外周リップ５１Ａが配され、前側バレル片４５と後側バレル片４６の間に１条の外周リップ５１Ａが配されている。このようにすれば、前側バレル片４５と後側バレル片４６の間に配された１条の外周リップ５１Ａが前側バレル片４５の後縁と後側バレル片４６の前縁との双方に引っ掛かるため、ゴム栓５０の保持力を向上させることができる。また、複数条の外周リップ５１Ａが各バレル片４５、４６の内周面に食らいつくように密着することによってもゴム栓５０の保持力を向上させることができる。
【００２６】
また、例えばインシュレーションバレル４４に対するゴム栓５０の装着位置が後方にずれたとしても、元々前側バレル片４５の内側にあった外周リップ５１Ａが前側バレル片４５と後側バレル片４６の間に移動して前側バレル片４５の後縁と後側バレル片４６の前縁との双方に引っ掛かるため、ゴム栓５０の保持力が維持される。これと同時に、元々後側バレル片４６の内側にあった外周リップ５１Ａが後側バレル片４６の後方に移動して後側バレル片４６の後縁に引っ掛かるため、これによってもゴム栓５０の保持力が維持される。なお、インシュレーションバレル４４に対するゴム栓５０の装着位置が前方にずれた場合についても同様であるため、その説明は省略する。
【００２７】
以上のように本実施形態では、ゴム栓５０が位置ずれする等してインシュレーションバレル４４に押圧されない外周リップ５１Ａが発生した場合でも、この外周リップ５１Ａがインシュレーションバレル４４に引っ掛かるため、ゴム栓５０の保持力が低下することを回避できる。
【００２８】
圧着部５１の外周面および内周面は、先端側に向かうほど電線Ｗ側に近づくように傾斜している構成としてもよい。
このような構成によると、インシュレーションバレル４４が圧着部５１を介して電線Ｗに圧着された際に、ゴム栓５０の先端部が盛り上がることを防止できる。
【００２９】
インシュレーションバレル４４は、前側バレル片４５と後側バレル片４６を有して構成されており、前側バレル片４５と後側バレル片４６の間に外周リップ５１Ａが位置している構成としてもよい。
このような構成によると、前側バレル片４５と後側バレル片４６の間に位置した外周リップ５１Ａが前側バレル片４５の後縁と後側バレル片４６の前縁の双方に引っ掛かることでゴム栓５０の保持力を向上させることができる。
【００３０】
圧着部５１の内周面には、電線Ｗに密着する複数条の内周リップ５１Ｂが設けられている構成としてもよい。
このような構成によると、電線Ｗが屈曲されることによりシール部５２の内周面におけるシール性能が低下した場合でも、圧着部５１の内周リップ５１Ｂによってシール性能を維持することができる。
【００３１】
外周リップ５１Ａと内周リップ５１Ｂが前後方向において互いにずれて配置されることにより、圧着部５１の厚さはほぼ均一となるように構成されているものとしてもよい。
このようにすると、インシュレーションバレル４４によって押圧される力が圧着部５１に対して均等にかかるため、圧着部５１の一部がインシュレーションバレル４４によって切れたりすることを防止できる。
【００３２】
＜他の実施形態＞
本明細書によって開示される技術は上記記述及び図面によって説明した本実施形態に限定されるものではなく、例えば次のような種々の態様も含まれる。
（１）上記実施形態ではゴム栓５０がインシュレーションバレル４４に対して正規に装着された状態において、前側バレル片４５の前方と後側バレル片４６の後方の双方に外周リップが存在していないものの、本実施形態よりも長い圧着部を設けることで、前側バレル片４５の前方と後側バレル片４６の後方の双方に外周リップを配してゴム栓の保持力をさらに向上させるようにしてもよい。
【００３３】
（２）上記実施形態ではゴム栓５０に電線保護部５３を設けているものの、電線保護部５３を設ける代わりにシール部５２を後方に延長させることで長いシール部を設け、このシール部によって電線保護部の役割を兼用させてもよい。
【００３４】
（３）上記実施形態では圧着部５１の外周面と内周面の双方が先端側に向かうほど電線Ｗ側に近づくように傾斜しているものの、圧着部５１の外周面のみが先端側に向かうほど電線Ｗ側に近づくように傾斜しているものとしてもよい。
【００３５】
（４）上記実施形態では前側バレル片４５と後側バレル片４６の間に１条の外周リップ５１Ａが位置しているものの、２条以上の外周リップ５１Ａが位置するものでもよい。
【００３６】
（５）上記実施形態ではインシュレーションバレル４４に押圧される範囲内に複数条の内周リップ５１Ｂを設けているものの、インシュレーションバレル４４によって押圧される範囲内でなくても、電線Ｗの振れによってシール性能に影響を受けない範囲内に内周リップを設けることでシール性能を維持してもよい。
【００３７】
（６）上記実施形態では圧着部５１の厚さがほぼ均一となるように構成されているものの、ゴム栓切れが発生しない位置（例えばクルーズドバレルの内側などの位置）においては局所的に厚くなる部分を設けてもよい。
【符号の説明】
【００３８】
５０…ゴム栓
５１…圧着部
５１Ａ…外周リップ
５１Ｂ…内周リップ
５２…シール部
Ｗ…電線
【図１】
2016095915.tif 000003
【図２】
2016095915.tif 000004
【図３】
2016095915.tif 000005
【図４】
2016095915.tif 000006
【図５】
2016095915.tif 000007
【図６】
2016095915.tif 000008
【図７】
2016095915.tif 000009